(57)【要約】【課題】構成部品の接続・組立てが容易な、波長分割多重機能を有する光トランシーバを提供する。【解決手段】光トランシーバ１は、互いに波長の異なる複数の信号光と当該複数の信号光に対応した複数の電気信号との間で光電変換を行う。光トランシーバ１は、複数の信号光を合波または分波する波長選択フィルタと当該波長選択フィルタに対向して配置され複数の信号光にそれぞれ対応する複数の光アセンブリを含む光ユニット１１，１２と、上記複数の光アセンブリと電気信号の授受を行う電子回路を搭載した回路基板１４を備える。上記複数の光アセンブリと回路基板１４とは、その複数の光アセンブリそれぞれに接続する枝部と回路基板１４に接続する集合部とを一体に形成したフレキシブル回路基板１５，１６により接続されている。【選択図】図２
2008091777.tif 000002
【特許請求の範囲】
【請求項１】
互いに波長の異なる複数の信号光と該複数の信号光に対応した複数の電気信号との間で光電変換を行う光トランシーバであって、
前記複数の信号光を合波または分波する波長選択フィルタと該波長選択フィルタに対向して配置され前記複数の信号光にそれぞれ対応する複数の光アセンブリを含む光ユニットと、
前記複数の光アセンブリと電気信号の授受を行う電子回路を搭載した回路基板を備え、
前記複数の光アセンブリと前記回路基板とは、前記複数の光アセンブリそれぞれに接続する枝部と前記回路基板に接続する集合部とを一体に形成したフレキシブル回路基板により接続されていることを特徴とする光トランシーバ。
【請求項２】
前記フレキシブル回路基板は、前記光ユニットの底面をなぞる形状の中央部と、該中央部からそれぞれの光アセンブリに枝分かれして延びる前記枝部と、前記中央部から前記回路基板に延びる前記集合部とから成ることを特徴とする請求項１に記載の光トランシーバ。
【請求項３】
複数の前記中央部と前記それぞれの枝部の境界部、及び前記中央部と前記集合部との境界部には、前記フレキシブル回路基板と前記それぞれの光アセンブリ及び前記回路基板との間の接続を適合させるための折り目が形成されていることを特徴とする請求項２に記載の光トランシーバ。
【請求項４】
前記フレキシブル回路基板は、前記中央部を前記光ユニットに接着されていることを特徴とする請求項２に記載の光トランシーバ。
【発明の詳細な説明】
【技術分野】
【０００１】
本発明は、波長分割多重機能を有し、光信号の送受信を行う光トランシーバに関する。
【背景技術】
【０００２】
一の筺体中に複数の光送信／受信素子、あるいは複数の光送信／受信モジュールを搭載する形態の光トランシーバが提案されている。これは価格的にも安価であり、波長分割多重（ＷＤＭ：Wavelength Division Multiplexing）システムであっても非常に高い機能を要求されない用途に適している。主に、ＬＡＮ等の近距離の通信であって、単一のチャンネルを備える光トランシーバをホスト装置に複数並べた場合には大掛かりになってしまうという場合に、その代替として期待されるものである。
【０００３】
特許文献１には、２体の光受信素子（Ｒｘ）と、１体の光送信素子（Ｔｘ）とを内蔵し、さらに光信号のうち特定の波長帯のもののみを透過し他の波長帯のものを反射する波長選択フィルタを有する光トランシーバが開示されている。この光トランシーバは、光受信／送信素子が、それぞれ波長選択フィルタを介して、互いに波長の異なる複数の信号光を受信／送信することにより、波長分割多重機能を達成している。
また、特許文献２に開示される光トランシーバは、４体のＲｘまたはＴｘを備えるものであり、特許文献１記載のものと同様にして、波長分割または波長多重機能を達成している。
【０００４】
特許文献１及び２に記載の光トランシーバは、１Ｔｘ＋２Ｒｘあるいは４Ｒｘという様に多チャンネルを同梱する形態を有しているが、波長分割多重機能を実現した上でより高速な伝送を可能にするためには４Ｔｘ＋４Ｒｘという様に大掛かりなものにする必要がある。
また、特許文献１及び２の光トランシーバにおいて、チャンネル分岐は、一直線上に波長選択フィルタを配して行われていたりするため、筺体サイズが規格化されている用途には適さない。
【０００５】
それに対して、特許文献３には、４チャンネルのＴｘ及び波長選択フィルタで構成され光信号を合波する光合波ユニットと、４チャンネルのＲｘ及び波長選択フィルタで構成され光信号を分波する光分波ユニットとをＸＥＮＰＡＫ、Ｘ２（ＩＥＥＥ８０２．３ａｅ標準に基づく光送受信器に関する仕様）の筐体に同梱する（計８チャンネルの）ものが提案されている。ＸＥＮＰＡＫ、Ｘ２自身は１０Ｇｂｐｓ程度の伝送速度向けの高機能光トランシーバを意図するものである。しかし、特許文献３の光トランシーバにおいては、その規格の筐体に各４チャンネルのＴｘ、Ｒｘを含む光合波／分波ユニットを同梱し、各Ｔｘ、Ｒｘ自体は速度的、あるいは通信距離については規格を緩めて、例えば、コンピュータのバックボーン通信を意図している。それでも、速度は数百Ｍｂｐｓ、距離は１ｋｍを規定している。
【特許文献１】米国特許出願公開第２００３／００６３８４４号明細書
【特許文献２】米国特許出願公開第２００４／０１０１２４７号明細書
【特許文献３】米国特許出願公開第２００６／００８８２５５号明細書
【発明の開示】
【発明が解決しようとする課題】
【０００６】
しかしながら、特許文献３の光トランシーバのように、高速光伝送を行うために多くの光受信／送信素子を規格を満たす筐体内に配するには、光合波／分波ユニットの形状、すなわち、光合波／分波ユニットの各光受信／送信素子の装着位置について、複雑な角度をとらざるを得ない。したがって、光受信／送信素子と電気信号の授受を行う電子回路が搭載された回路基板と、光受信／送信素子との接続についても、多大な制約を受ける。
【０００７】
図９は、４つの光受信／送信素子から成る光合波／分波ユニット１１，１２を備えた従来の光トランシーバにおける光受信／送信素子と回路基板１４との接続の状態を模式的に示したものである。光トランシーバの回路基板１４のエッジから各光ユニット１１，１２に向けて４つのフレキシブル回路基板１０１，１０２が伸び出し各光送信／受信素子と接続される。しかし、各光送信／受信素子のそれぞれの光ユニット１１，１２に対する取り付け角度が全て異なるので、フレキシブル回路基板１０１，１０２の取り回しは非常に煩わしく、一見信頼性に欠ける接続形態となっている。また、４つのフレキシブル回路基板１０１，１０２を個別に回路基板１４に接続しなければならないため、接続に要する時間も長くなってしまう。
【０００８】
本発明は、上述のごとき実情に鑑みてなされたもので、構成部品の接続・組立てが容易な波長分割多重機能を有する光トランシーバを提供することを目的とする。
【課題を解決するための手段】
【０００９】
本発明による光トランシーバは、互いに波長の異なる複数の信号光と当該複数の信号光に対応した複数の電気信号との間で光電変換を行うものであって、上記複数の信号光を合波または分波する波長選択フィルタと当該波長選択フィルタに対向して配置され上記複数の信号光にそれぞれ対応する複数の光アセンブリを含む光ユニットと、上記複数の光アセンブリと電気信号の授受を行う電子回路を搭載した回路基板を備え、上記複数の光アセンブリと回路基板とは、上記複数の光アセンブリそれぞれに接続する枝部と回路基板に接続する集合部とを一体に形成したフレキシブル回路基板により接続されていることを特徴とする。
【００１０】
フレキシブル回路基板は、光ユニットの底面をなぞる形状の中央部と、当該中央部からそれぞれの光アセンブリに枝分かれして延びる枝部と、中央部から回路基板に延びる集合部より成ることが好ましい。
【００１１】
また、複数の中央部と上記それぞれの枝部の境界部、及び中央部と集合部との境界部には、フレキシブル回路基板と上記それぞれの光アセンブリ及び回路基板との間の接続を適合させるための折り目が形成されていることが好ましい。
なお、フレキシブル回路基板は、中央部を光ユニットに接着されていることが好適である。
【発明の効果】
【００１２】
本発明の光トランシーバによれば、波長分割多重機能を達成するために、光アセンブリが複雑に配置されていても、それら光アセンブリと回路基板の電子回路とを接続するフレキシブル基板を一体に形成したので、容易に接続・組立てを行うことができる。
【発明を実施するための最良の形態】
【００１３】
図１は、本発明に係る光トランシーバの一例を示す外観図である。光トランシーバ１は、ホスト装置のフェースパネルの開口内に装着して用いられるものであって、ＸＥＮＰＡＫ、Ｘ２の筐体の側面にラッチ２１を有する。ラッチ２１は、光トランシーバ１を収納するためにホスト装置の回路基板（以下、ホスト基板）上に設けられた金属製のレールの側面の係号穴と係合するものであり、この係合により光トランシーバ１はホスト装置に保持される。
【００１４】
光トランシーバ１の前方端には、光伝送ケーブルの端部（光コネクタ）が挿入される光レセプタクル２４が形成されている。ここで、前方／後方は説明の便宜上光トランシーバ１の光レセプタクル２４が形成されている側を前方、その逆側でありホスト装置に挿入される側を後方と設定したもので、単に説明のために定めるものである。
また、光トランシーバ１はグリップ１９を有しており、このグリップ１９を光レセプタクル２４の周囲で前後にスライドすることにより、筐体側面のラッチ２１が作動し、光トランシーバ１とホスト装置とを係合させたり、その係合を解除させたりすることができる。
【００１５】
本発明の光トランシーバは、互いに波長の異なる複数の信号光とその複数の信号光に対応した複数の電気信号との間で光電変換を行うものであって、例えば、下記のように構成される。
図２は、本発明に係る光トランシーバの一例を示す分解図である。光トランシーバ１は、例えば、複数の受信用光アセンブリ（ＲＯＳＡ：Receiving Optical Sub-Assembly）を含む光分波ユニット１１と、複数の送信用光アセンブリ（ＴＯＳＡ：Transmitting Optical Sub-Assembly）を含む光合波ユニット１２と、これら光ユニット１１，１２を保持する下部ハウジング１３と、ＲＯＳＡ／ＴＯＳＡと電気信号の授受を行う電子回路（ＩＣ）を搭載する回路基板１４と、ＲＯＳＡ／ＴＯＳＡと回路基板１４とを接続するユニット化したフレキシブル回路基板１５，１６とを有している。
【００１６】
また、光トランシーバ１は、回路基板１４を上下から挟みこむ上部ハウジング１７及びカバー１８と、上述のグリップ１９と、回路基板１４や両光ユニット１１，１２の熱を放熱するための放熱シート２０を備えている。光トランシーバ１は、上述のラッチ２１を筐体（ハウジング）の側面に有するが、ラッチ２１とホスト装置のレールとの係合状態を保つためのスプリング２２も有している。
【００１７】
複数の信号光を分波する光分波ユニット１１及び複数の信号光を合波する光合波ユニット１２の二つの光ユニットは、ＯＳＡ固定部品１３ａにより下部ハウジング１３に組み付けられる。二つの光ユニット１１，１２の先端は、光レセプタクル２４方向に突出し、そこで光コネクタ（不図示）の先端と光結合する。光レセプタクル２４は、下部ハウジング１３と上部ハウジング１７とでその外形が規定されており、例えば、ＳＣ型の光コネクタ（ＳＣコネクタ）が係合するように構成されている。下部ハウジング１３には、光レセプタクル２４に挿入されるＳＣコネクタを把持するＳＣラッチ１３ｂが備えられ、そのＳＣｔラッチ１３ｂの前方端には光コネクタと係合するための突起が設けられている。
【００１８】
ラッチ２１、スプリング２２は一体的に形成されたものであり、スプリング２２が外方に向けてラッチ２１を押し出すことによって、光トランシーバ１のラッチ２１とホスト基板上のレールとの係合状態を維持するものである。下部ハウジング１３は、複数のネジ２３により回路基板１４を挟みこむ様に上部ハウジング１７に組み付けられ、カバー１８は、上部ハウジング１７に対して、スナップショット（嵌め込み）で組立てられる。フレキシブル回路基板１５，１６については、後に詳述する。
【００１９】
図３は、本発明に係る光トランシーバの光分波／合波ユニットを説明するための部分図であり、説明のため光トランシーバ１のうち上部及び下部ハウジング１７，１３で形成される光レセプタクル２４と当該光ユニット１１，１２のみを示している。それぞれの光ユニット１１，１２は多角形状のホルダ１１ｅ，１２ｅを有する。ホルダ１１ｅ，１２ｅにはそれぞれ、４体のＲＯＳＡ１１ａ〜１１ｄあるいはＴＯＳＡ１２ａ〜１２ｄが、後述の波長選択フィルタに対向する位置に角度を違えて装着されている。ホルダ１１ｅ，１２ｅの多角形の一面からはスリーブ１１ｆ，１２ｆが伸びだし、その先端が光レセプタクル２４内に突き出ている。
【００２０】
各ホルダ１１ｅ，１２ｅの中央部には５角形の開口１１ｅ１，１２ｅ１が形成され、この開口１１ｅ１，１２ｅ１の内面に、波長の異なる複数の信号光をその波長に従って合波または分波する波長選択フィルタ（図４、符号１１ｈ１〜１１ｈ３参照）が装着される。光分波ユニット１１の場合であれば、スリーブ１１ｆを介して入力された信号光（波長λ１〜λ４の光信号を含む）が開口１１ｅ１内の波長選択フィルタ（以下、フィルタという）で分離されてＲＯＳＡ１１ａ〜１１ｄのそれぞれに分配される。光合波ユニット１２であればＴＯＳＡ１２ａ〜１２ｄのそれぞれから発信した信号光（波長λａ〜λｄの光信号を含む）が開口１２ｅ１のフィルタで集合されてスリーブ１２ｆから出射される。
【００２１】
図３では、ホルダ１１ｅの開口部１１ｅ１にのみ、異物混入防止、ゴミ付着防止などのフィルタ保護のために、封止用の蓋１１ｇが取り付けられているが、光合波ユニット１２にも同様に封止用の蓋が取り付けられる。また、光ユニット１１，１２それぞれの図３で見えている側だけでなく反対側にも封止用の蓋を取り付けても良い。
さらに光ユニット１１，１２はそれぞれ、メインレンズと、一方向にのみ光を透過するアイソレータとを有する（図４参照）。メインレンズは、光分波ユニット１１においては、スリーブ１１ｆを通過した光を平行光に変換し、光合波ユニット１２においては、アイソレータからの光を集光しスリーブ１２ｆのスタブの光ファイバ（図示せず）に結合することができる。
【００２２】
図４は、本発明に係る光トランシーバの光分波／合波ユニットにおける光結合系を模式的に示した図である。光分波ユニット１１の場合であれば、スリーブ１１ｆから入射した光は、メインレンズ１１ｉで平行光に変換され、アイソレータ１１ｊを通り、第１のフィルタ１１ｈ１で波長λ１以外の光が反射され第２のフィルタ１１ｈ２に向かう。一方、波長λ１の光は、そのまま第１のフィルタ１１ｈ１を通過して第１のＲＯＳＡ１１ａに進み、第１のＲＯＳＡ１１ａに装備されたレンズ１１ａ１で集光された後、第１のＲＯＳＡ１１ａ内のフォトダイオード（ＰＤ：Photodiode）１１ａ２で受光される。
【００２３】
第２のフィルタ１１ｈ２では、入射した光のうち波長λ２の光が透過され、その他の波長の光は第３のフィルタ１１ｈ３に向けて反射される。透過された波長λ２の光は第２のＲＯＳＡ１１ｂに向けて進み、レンズ１１ｂ１で集光された後、第２のＲＯＳＡ１１ｂ内のＰＤ１１ｂ２で受光される。第３のフィルタ１１ｈ３では、波長λ３の光が第３のＲＯＳＡ１１ｃに向かい、それ以外の波長の光は第４のＲＯＳＡ１１ｄに向けて反射される。
【００２４】
図４では、第４のＲＯＳＡ１１ｄの前にフィルタを設けていないが、通常は第４のＲＯＳＡ１１ｄの前に波長λ４の光のみを透過するフィルタを設けておく。
透過された波長λ３の光は、第３のＲＯＳＡ１１ｃに向けて進み、レンズ１１ｃ１で集光された後、第３のＲＯＳＡ１１ｃ内のＰＤ１１ｃ２で受光される。また、透過された波長λ４の光は、第４のＲＯＳＡ１１ｄに向けて進み、レンズ１１ｄ１で集光された後、第４のＲＯＳＡ１１ｄ内のＰＤ１１ｄ２で受光される。
【００２５】
このようにして、第１〜４のＲＯＳＡ１１ａ〜１１ｄではそれぞれ波長λ１〜λ４の光のみを受信することができる。
光合波ユニット１２の場合には、ＴＯＳＡ１２ａ〜１２ｄ内のレーザダイオード（ＬＤ：Laser Diode）を出射した信号光は上述した光学系を全く逆に進み、スリーブ１２ｆからは波長λａ〜λｄの光を合波した信号光が出射される。
【００２６】
図５及び図６を用いて、本発明における各光ユニットに装着されたＴＯＳＡ／ＲＯＳＡと回路基板とを接続するフレキシブル回路（ＦＰＣ：Flexible Printed Circuit）基板について説明する。図５（Ａ）は、図３で示した光分波ユニット１１の形状構造に合わせたＦＰＣ基板１５の一例を示す図である。また、図５（Ｂ）は、光合波ユニット１２の形状構造に合わせたＦＰＣ基板１６の一例を示す図である。図６は、本発明に係る光トランシーバの各光ユニットに装着されたＴＯＳＡ／ＲＯＳＡと回路基板とを当該ＦＰＣ基板で接続した状態を示すものであって、図６（Ａ）は接続後の光トランシーバの状況を上方から見たものであり、図６（Ｂ）は接続後の光トランシーバを下方から見たものである。ここで、上方、下方は便宜的なもので（光トランシーバに上方、下方の機構上、機能上の区別はない）、単に、互いに逆の二方向から見たものである。
【００２７】
図５に示すように、ＦＰＣ基板１５（１６）は、１枚の基板で構成され、その中央部１５ａ（１６ａ）は、光分波ユニット１１（光合波ユニット１２）の平面をなぞる形状である。ＦＰＣ基板１５（１６）は、該中央部１５ａ（１６ａ）から枝分かれして延長され４体のＲＯＳＡ１１ａ〜１１ｄ（ＴＯＳＡ１２ａ〜１２ｄ）のそれぞれに向う４本の枝部で形成されるアセンブリ接続部１５ｂ（１６ｂ）を有している。また、同様に中央部１５ａ（１６ａ）から延長され回路基板１４に向かって延びる各ＲＯＳＡ１１ａ〜１１ｄ（ＴＯＳＡ１２ａ〜１２ｄ）との接続配線を集合した集合部で形成される回路基板接続部１５ｃ（１６Ｃ）を有している。
【００２８】
ＦＰＣ基板の中央部１５ａ（１６ａ）は、光分波ユニット１１（光合波ユニット１２）のホルダ１１ｅ（１２ｅ）の平面形状を反映して多角形（５角形）に形成され、この多角形の各辺から上記のアセンブリ接続部１５ｂ（１６ｂ）と、回路基板接続部１５ｃ（１６ｃ）が延長して設けられる。このように、ＦＰＣ基板１５，１６は、適用する光分波／合波ユニット毎にその形状構造に合わせて形成される。
【００２９】
図５（Ａ）には明示されていないが、光分波ユニット１１用のＦＰＣ基板１５の各光アセンブリに接続するアセンブリ接続部１５ａの先端には、ＲＯＳＡ１１ａ〜１１ｄのリードピンを受けるヴィアホールが形成されたリジッド基板が付属する。ＲＯＳＡ１１ａ〜１１ｄのリードピンは、内蔵したＰＤの光電流を電流／電圧変換しこの電圧信号を増幅、相補化した信号のＳｉｇ＋，Ｓｉｇ−と、これら電流／電圧変換、増幅、相補化を行う内蔵プリアンプへの電源供給のためのＶｃｃと、ＰＤのバイアス電圧印加のためのＶｐｄ、それに接地リード（ＧＮＤ）の５本である。各ヴィアホールは、この５本のリードピンそれぞれと対応する。
【００３０】
一方、図５（Ｂ）に示す光合波ユニット１２用ＦＰＣ基板１６にも、ＴＯＳＡ１２ａ〜１２ｄと接合する部分に、ＴＯＳＡ１２ａ〜１２ｄの３本若しくは４本のリードピンと接続するためのヴィアホールが形成されたリジッド基板が付属している。各ヴィアホールは、リードピンが３本の場合には、ＬＤ−アノードリード（ＬＤ＋）、ＬＤ−カソードリード（ＬＤ−）、ＧＮＤの３本と対応し、４本の場合には、さらにモニタ信号取出リード（Ｍｏｎ．）と対応する。ＬＤ＋，ＬＤ−は、ＬＤに駆動電流を供給するためのものであり、Ｍｏｎ．は、ＴＯＳＡ１２ａ〜１２ｄにＬＤ出力光強度をモニタするＰＤが内蔵された場合、このＰＤの出力信号を取り出すためのものである。
【００３１】
このようにＦＰＣ基板１５，１６の先端にリジッド基板を付属させるのは、ＦＰＣ基板１５，１６では薄すぎてリードピンとの間で確実な半田接続が期待できないこと、また、そもそも柔軟性基板であるが故に強度面で不足する故である。
【００３２】
ＦＰＣ基板１５，１６の回路基板接続部１５ｃ，１６ｃの先端には、回路基板１４のパッドと接続するためのパッド（ＦＰＣ基板上の配線を延長してパッド化したもの）が形成されている。パッドの総数は、光分波ユニット１１用のＦＰＣ基板１５では、例えば、５×４＝２０、光合波ユニット１２用のＦＰＣ基板１６では、３（４）×４＝１２（１６）のパッドが並んでいる。ＦＰＣ基板１５，１６上ではＲＯＳＡ１１ａ〜１１ｄ、ＴＯＳＡ１２ａ〜１２ｄそれぞれに対するＧＮＤパターンを共通化していない方が、クロストーク（隣接光アセンブリの信号の影響）対策の面からは好ましい。ＦＰＣ基板１５，１６の回路基板１４側でパッド数が多くなるために、パッドを複数列に配置するのも一形態である。
【００３３】
図６に示すように、ＦＰＣ基板１５，１６の中央部１５ａ，１６ａは光分波／合波ユニット１１，１２の底面に載置され、中央部１５ａ，１６ａから延長する各アセンブリ接続部１５ｂ，１６ｂが光ユニット１１，１２の形状に添えて曲折され、ＲＯＳＡ１１ａ〜１１ｄ，ＴＯＳＡ１２ａ〜１２ｄのリードピンが上記ヴィアホールに挿通され半田接続されている。同様に回路基板接続部１５ｃ，１６ｃの上記パッドが回路基板１４に接続されている。
【００３４】
ＦＰＣ基板１５，１６を曲折して光分波／合波ユニット１１，１２に添設して接続するのを容易にするために、ＦＰＣ基板１５，１６の曲折箇所に、図５に示すように、ＦＰＣ基板とそれぞれの光アセンブリ及び回路基板との間の接続を適合させるための折り目１５ｄ，１６ｄが予め設けられていることが好ましい。この曲折箇所は、例えば、複数の中央部とそれぞれの枝部（アセンブリ接続部１５ｂ，１６ｂ）の境界部、及び中央部と集合部（回路基板接続部１５ｃ，１６ｃ）との境界部を指す。
【００３５】
以上のように、光トランシーバにおいて、光アセンブリと回路基板の電子回路とを接続するフレキシブル基板を複数の光アセンブリを搭載した光分波／合波ユニットの形状構造に合わせて形成したので、光アセンブリが複雑に配置されていても容易に接続・組立てを行うことができる。
以下、本発明の光トランシーバについて、その組立ての一例を説明する。
【００３６】
（１）光分波ユニット１１、光合波ユニット１２にそれぞれＲＯＳＡ１１ａ〜１１ｄ、ＴＯＳＡ１２ａ〜１２ｄおよびスリーブ１１ｆ，１２ｆを装着した後、光ユニット１１，１２それぞれの開口１１ｅ１，１２ｅ１にフィルタを取り付ける。
ＲＯＳＡ１１ａ〜１１ｄ、ＴＯＳＡ１２ａ〜１２ｄの光ユニット１１，１２への装着（ＹＡＧ溶接でこれを行う）に際しては、それらのリードピンの方向に留意する必要がある。後工程に備え、ＦＰＣ基板１５，１６のヴィアホールに対応する位置にリードピンの方向が一致していなければならない。ＦＰＣ基板１５，１６の柔軟性、リードピンとヴィアホールとの嵌合度合いで多少のリードピンのずれは許容されるが、例えば対象リードピンが１０°以上ずれて溶接されている場合には、ＦＰＣ基板１５，１６との接続に支障をきたす。
【００３７】
（２）次に、図５に示すＦＰＣ基板１５，１６をそれぞれＲＯＳＡ１１ａ〜１１ｄ、ＴＯＳＡ１２ａ〜１２ｄのリードピンと電気的に接続する。リードピンをＦＰＣ基板１５，１６のヴィアホールに装着して（ＲＯＳＡ１１ａ〜１１ｄ，ＴＯＳＡ１２ａ〜１２ｄそれぞれについて）半田付けを行う。次いで、ＦＰＣ基板１５，１６の回路基板接続部１５ｃ，１６ｃ端に形成されたパッドを、図６のような状態に成るよう、回路基板１４に半田接続する。
ＦＰＣ基板は、光分波ユニット１１、光合波ユニット１２の外形に合わせてラフに折り曲げておくことが、リードピンの装着、半田接続に際しては都合が良い。
【００３８】
また、光ユニット１１，１２のそれぞれのスリーブ１１ｆ，１２ｆに対向する位置に装着されるＲＯＳＡ１１ａ，ＴＯＳＡ１２ｄに接続するアセンブリ接続部１５ｂ，１６ｂは、まず、光ユニット１１，１２のホルダ１１ｅ，１２ｅの多角形状の一辺に沿って上方に折り曲げられた後、折り曲げられた部分の略中央を、ＲＯＳＡ１１ａ，ＴＯＳＡ１２ｄのリードピンが取り付けられた部分（ステムと総称している）に向けて、水平方向に折り曲げる、という二段階の工程を経た上で、リードピンに装着される。ＦＰＣ基板１５，１６の回路接続部１５ｃ，１６ｃとＲＯＳＡ１１ａ，ＴＯＳＡ１２ｄの取り付け位置が重なるための措置である。
【００３９】
また、ＦＰＣ基板１５，１６の中央部１５ａ，１６ａであって、光ユニット１１，１２それぞれの多角形状のホルダ１１ｅ，１２ｅに対向する面には、両面テープなどが貼り付けられている。そのため光ユニット１１，１２はＦＰＣ基板１５，１６の中央部１５ａ，１６ａを接着して保持することができる。この中央部１５ａ，１６ａを光ユニット１１，１２の多角形状のホルダ１１ｅ，１２ｅに接着して位置合わせすることで、ＦＰＣ基板１５，１６と光ユニット１１，１２との組立て工程が格段に向上する。
【００４０】
（３）次に、下部ハウジング１３にＳＣラッチ１３ｂを組み込み、さらに回路基板１４と光合波ユニット１２及び光分波ユニット１１との組立体を装着する。その後に、ＯＳＡ固定部品１３ａを下部ハウジング１３に組み込み、両光ユニット１１，１２を下部ハウジング１３に対して固定する。図７は、上記組立体などが下部ハウジングに装着されたときの状態を示す図であり、図７（Ａ）及び図７（Ｂ）はそれぞれＯＳＡ固定部品の組み込み前と後の状態を示している。
【００４１】
光ユニット１１（１２）のスリーブ１１ｆ（１２ｆ）は一対のフランジ１１ｆ１，１１ｆ２（１２ｆ１，１２ｆ２）を有している。このフランジ１１ｆ１，１１ｆ２（１２ｆ１，１２ｆ２）の間に下部ハウジング１３の底面、横壁に形成された凸部を挟みこむことでスリーブ１１ｆ（１２ｆ）と下部ハウジング１３との位置関係を規定する。厳密には、ＯＳＡ固定部品１３ａを前方側のフランジ１１ｆ１，１２ｆ１の後面と下部ハウジング１３側の凸部１３ｃの前面との間に差し込むことで、両者の位置関係が固定される。
【００４２】
スリーブ１１ｆ，１２ｆの先端は光レセプタクル２４内に突出し、この突出量は光レセプタクルの規格、挿入される光コネクタの規格に準拠する必要があるが、上記光ユニット１１，１２を下部ハウジング１３に対して固定することで、この規格を満足することになる。
この段階では、光レセプタクル２４の側面にあるラッチ２１、このラッチ２１を押し出すスプリング（板バネ）２２も組み込む。
【００４３】
（４）ついで、回路基板１４上の素子、及び光合波、光分波の両光ユニット１１，１２に放熱シート２０を貼り付け、下部ハウジング１３と上部ハウジング１７をネジ２３を用いて組立て、下部ハウジング１３には金属製のカバー１８を、また、光レセプタクル２４部分にはグリップを装着する。図８は、そのときの状態を示す図である。以上により、図１に示すような光トランシーバ１が完成される。
【図面の簡単な説明】
【００４４】
【図１】本発明に係る光トランシーバの一例を示す外観図である。
【図２】本発明に係る光トランシーバの一例を示す分解図である。
【図３】本発明に係る光トランシーバの光分波／合波ユニットを説明するための部分図である。
【図４】本発明に係る光トランシーバの光分波／合波ユニットにおける光結合系を模式的に示した図である。
【図５】図３で示した光分波／合波ユニットの形状構造に合わせたＦＰＣ基板の一例を示す図である。
【図６】本発明に係る光トランシーバの各光ユニットに装着されたＴＯＳＡ／ＲＯＳＡと回路基板とをＦＰＣ基板で接続した状態を示す図である。
【図７】回路基板、光合波ユニット及び光分波ユニットなどの組立体などが下部ハウジングに装着されたときの状態を示す図である。
【図８】図７の組立体に、上部ハウジングなどを組み付けるときの状態を示す図である。
【図９】従来の技術を説明するための図である。
【符号の説明】
【００４５】
１…光トランシーバ、１１…光分波ユニット、１２…光合波ユニット、１１ａ，１１ｂ，１１ｃ，１１ｄ…受信用光アセンブリ、１２ａ，１２ｂ，１２ｃ，１２ｄ…送信用光アセンブリ、１１ａ１，１１ｂ１，１１ｃ１，１１ｄ１…レンズ、１１ａ２，１１ｂ２，１１ｃ２，１１ｄ２…フォトダイード、１１ｅ，１２ｅ…ホルダ、１１ｅ１，１２ｅ１…開口、１１ｆ，１２ｆ…スリーブ、１１ｇ，１２ｇ…蓋、１１ｈ１，１１ｈ２，１１ｈ３…波長選択フィルタ、１１ｉ…メインレンズ、１１ｊ…アイソレータ、１３…下部ハウジング、１３ａ…ＯＳＡ固定部品、１３ｂ…ＳＣラッチ、１３ｃ…凸部、１４…回路基板、１５，１６…フレキシブル回路基板、１５ａ，１６ａ…中央部、１５ｂ，１６ｂ…アセンブリ接続部、１５ｃ，１６ｃ…回路基板接続部、１５ｄ，１６ｄ…折り目、１７…上部ハウジング、１８…カバー、１９…グリップ、２０…放熱シート、２１…ラッチ、２２…スプリング、２３…ネジ、２４…光レセプタクル。
【図１】
2008091777.tif 000003
【図２】
2008091777.tif 000004
【図３】
2008091777.tif 000005
【図４】
2008091777.tif 000006
【図５】
2008091777.tif 000007
【図６】
2008091777.tif 000008
【図７】
2008091777.tif 000009
【図８】
2008091777.tif 000010
【図９】
2008091777.tif 000011